(57)【要約】      （修正有）【課題】気圧の関係が、内外で一定になる時、これらの科学現象をカヤカーテンの傍でのみ起こさせる気像の変化が生じ、カヤ、カーテンをうっとうしくする時、これを簡易に除去したい際、便利な留め道具の無い時、課題が与えられていた。【解決手段】幽霊と蜃気桜の出る場所をよく知っていた。その一つがカヤカーテンであった。日照強日時、スダレの表面に（πｒ）２以上の光線乱反射があり、３．１４ｎ／ｃａｌ以上の熱量がそこに生じ、このカーテンが窓辺にある事により、気温の高低差が激しく生じ、これが扇風機となる次元関数があり、１，２，３，４次元にある影像物さへ出役させる実効性を認め、内外の気像の高低差が合わない時には、むしろ、これに生じる乱反射は暑苦しく有益ならざる事を人々は知っていたが、中国を前に大概の生産品にＹバリューがかかり、Ｘバリューを起こすべく子供が欲しがる優れた玩具技術と資源を弄ばせてはいけなかった。【選択図】図１
2007054593.tif 000002
【特許請求の範囲】
2007054593.tif 000006
【発明の詳細な説明】
2007054593.tif 000003
2007054593.tif 000004
2007054593.tif 000005
【図１】
2007054593.tif 000007
【手続補正書】
【提出日】平成17年10月21日(2005.10.21)
【手続補正１】
【補正対象書類名】明細書
【補正対象項目名】全文
【補正方法】変更
【補正の内容】
【発明の詳細な説明】
【技術分野】
【０００１】「この花は造花の様に美しい！と誉める人はいない。」と哲学論を言う者がかつて、にいた。筆者は黙っていた。筆者はコドモの頃から画家になりたくて、１，０００点を越える油絵を書いた事があり、それは真実であった。筆者は花の絵を書き続けているうちにいつしか、筆者の書く花は匂いをこぼし始めていた。友人の画家に「どうだ！この花は匂いをこぼしているだろ！？」と言った所。「匂わない。」と答えた。「あんたの鼻は変である。」と言って、絵を描くのを止めた。それから久しく時間が流れたある日の事であった。【０００２】筆者は女の子をナンパして、ワンコインショップに買い物に出かけ、造花コーナーの前を通り過ぎた際の事であった。一瞬匂いをこぼしている造花がそこにあった。ヒメユリ、他であった。「見事である。」と一声漏らして、後黙っていた。認める物は素直に認めたが、くやしかった。日本人の手先の器用さを結集する技術力の一端をかいまみていた瞬間の出来事であった。日本人の手先の器用さがいつしか、偽せ物の生命に既に新しい命（バイオー）を与えていた。筆者のコドモの頃では考えられない事であった。筆者の意志は再び画家の世界へ凝集していた。【０００３】  それでは、という事で、筆者は、手頃な木を河川、海辺から拾って来て彫刻刀で、これを彫り、まず鼠を彫り続け、トカゲを彫り、ヘビ、カエルに至り、やがて、粘土をこねて、人体像を造るに至って、又、画家の生活に戻っている時期があった。雪舟が涙で画きあげたとする人に懐く鼠像や、絵心の分かる者を尋ねて動き出す、という動物や人物をキャンバスに残してみようと考えたからであった。【０００４】  芸術家は無欲であり、必しも心が清くなければ、本意たる芸術の粋意はこれに言い表わせるものではなかった。先駆的には、ドイツ、ゲルマン民族をする彼の国において、子を得ないやさしいおジイさんが、あやつり人形のピノキオを作り、これがやがて、人間のコドモに成長してゆく過程が、物語りとして普及しており、ピノキオが人間のコドモになるか？デクノボウになるかは、それを見るコドモ達の真心と、世の中にある人々の目にあった。【０００５】しかしながら、愛らしかった白人の子がアヒルの子で表現された時、黒人の子は鼠の子として表現され、「ミッキーマウス」と呼称され、世界のコドモに愛され、極東の国、日本でも、これに負けない、腹部にポケット、心理学効果を得る鉄腕アトムが、この国を代表する科学の粋意を結集して作られていた。【０００５】  筆者は自称する哲学者であり、経済学者であり、心理学者、建築家……であり、そして画家でもあった。」と肩書きを並べては、ダビンチの様な事を言って世の人々に嫌われていたが、その心はコドモの様に純粋であり、世の為、人の為に役立つロボットを作っていた。発案は、今回発明される、スダレカーテン、ハンギングロボットを現存される、日本国内にあるヘビのシッポをガラガラヘビの様に、ゴム製の丸めた物で作ったり、タコの足をも同様にして作り、スダレ、カーテン、ハッカーとして用いた所、来客人が、驚き、ハエたたきで、これをたたいた。本発明品の技術面の成功を見ていた。叩たれたのは蛇であった。【０００６】  日本人のオモチャの製造技術の優秀さが立証された瞬間���あった。オモチャも優れた物になると、真夜中にオモチャ箱を抜け出して、これを愛する世のコドモ達の心の奥底に深くに喰い込んでゆく技術力があり、オモチャを愛する者に出来た芸術力にもあったものであった。【０００７】  ただし、エヘヘダコについては、筆者の机の上の物を盗んで、スダレ、カーテンに逃げたタコを筆者が見つけて、ハエタタきで、これをたたこうとしている時、タコはエヘヘと笑って、ゴマかし、「返すから許して！」と言っている様に見える技術力があり、返品された品々はスダレカーテンに取り付いている便利さもあった。又、スシや、自動車、破魔の失、ススキ、等のバラエティーを考えると四季を通してカーテンで楽しむ技術力があった。【０００８】  色彩感のある陶器、ガラス、プラスチック、等他ビーズを糸で連ねて、花火、いそぎんちゃく、菊の花びらを作り、その必要なるへ先に、ハンギング爪をつけて、スダレに取り付けた時、それらは、美しく、もはや、オモチャの領域を越え芸術の域に達っする日本人の技術力を全世界に示す所にあった。アユや、車、ムカデ、ヘビ．．．．等のオモチャについても同じ事が言えた。ウルトラマンはカーテンにへばりついて、これを束ねていた。【０００９】本発明品のうち、鳴き虫ハッカー（テオリーくん３８７号）の胴体、若しくは、シッポを無理に引っ張ると本発明品は鳴き出す技術力があった。
【背景技術】
【００１０】●特願、２００４−３１４７９６：盗聴コンウィルス防止器参照されたし●特願２００５−１１８９２９２：陣羽織参照されたし●特願２００４−３４１１９５：消しゴムで消せるノート参照されたし●特願２００４−２１７９９２：楊子付マッチ参照されたし●特願２００５−１４６０２６：字現流参照されたし●特願２００７−    ：幽霊撮カメラ参照●特願２００４−４５４４８：自動車カーテンブラインド参照されたし
【発明の開示】
【発明が解決しようとする課題】
【００１１】「木影の下には、１℃の温度の違いに在る憩が存在する。」と言われ、人々は、４千年？の歴史の中で、カヤを織り、ナイル河の畔の風にたなびかせ、オリエントの砂漠の日光を遮るすだれとなり、日影を作り、１℃の温度差を生じさせる時、そこに涼風を発生させ、窓辺に置いた際、これは、多くの風をここで発生させ、これを室内に取り込み、多くの人々の心に憩いと、涼しささへ与え続けて来た効力がある時、フト気が付くと、そこに人影が生じたり消えたりする不思議な空間を作っていた。（２００７年    号幽霊撮りカメラ参照）【００１２】
2007054593.tif 000008
数量の生産物は、自然物として発生して、人々の手で生産され続け、古くなると、薪木となって、やはり人々の生活を助けていた。【００１３】  人々は何故に、これ程までにカヤ、カーテンを愛し続けたものであろうか？………夏期暑中においても、外部と人の居住空間の間に、光りの明暗の関係が生じ、光（光粒子：＋）りは闇（闇部：−）を見つけると、そこに向って突き進む性質（２００５−１１８９２９２：陣羽織参照）がある事が発見され、その光粒子の高低差により、光粒子（太陽風）は、気圧（風）の高低差を起こし、マントル対流を発生させ、（光りは同量の熱量に変わる。）この世に生息するあらゆる生物の新陳代謝に貢献するものとなった。【００１４】  本立証実験においては、洞窟探険時において、光りの届く位置にまでに洞穴風が発生する事となり、海満においても同意議となります。ところがこの様に光りの高低差が、外部と、人の居住空間、内側との間に大差を以って存在する時、涼風は室内に一方的に流れ込み続けはするものの、日は常に動いて、外部と、室内との間に日照高低の編異が起こりづらくなる時、涼風は室内に入っては来なくなります。【００１５】  原因は、日照高低の偏差、窓辺に垂らしたスダレカーテンの周辺のみに、その高低差が生じる為、下手な例えを使えば、そこにシンキロウ（幽霊）が生じてもオカシクない程までに、室内に涼風が入って来るのを妨げる際、スダレカーテンは、その存在を一時期を以って邪馬にさへなる事において、そこに本発明品の課題が与えられた。
【課題を解決する為の手段】
【００１６】  この様な時、スダレ、カーテンをクルクルと巻きげた際の事であったが、これを簡易に留め置くストッパーの発明は、その発明史の数々を見ても、数千年間を経だてる中、なかなか起こらなかった。これを簡易に認意の位置でストップ調整させ、スダレをウットウしくさせず、もっと自在かつ安価格に市場にある製品を用いて、これを為せない物であろうか？と考えた時、本発明が解決手段を得た。
【発明の効果】
【００１７】  筆者は土木建築に非常に興味があった。学修修了後筆者は暫く日本の土木建築業界に居た。現場において、土木建築技師が持っている道具に目が付いて離れなかった。しかしながら、彼等が持っているその後の日本における１０年間においてそれらは、あまりにも変わっているのに驚きを隠せないでいたからであった。ゼンマイ、ら線ゴム、形状記憶合金をよく用いていた。
【００１８】  筆者はコドモの頃より発明好きだった為、人の持つ物、為す物にイチイチ興味を引く中、特に、昔しは多くあった巻き尺、折り尺が今は無くなっており、今では、コンベックス（ゼンマイ内蔵の半自動巻き尺）を人々が当り前の様に手に持って、これを操作し、昔し在って、今は無くなった鶴亀型の墨壺に変わり、ゼンマイ内蔵の半自動墨壺の便利の良さを人々は操っているのを見た時、このゼンマイ仕掛けの半自動コンベックスのクロー（爪）の部位に、丸められたスダレをハンギング、ハッカー（引っかけ吊す）できる改良された爪をスライド式にこれに差し込んでビス留めした時、この爪がゼンマイの駆動力と備わるストッパーの力を得て、丸められたスダレを自由自在認意の位置で留め置くスダレ、ハッカーとなる便利な物になった。
【発明を実施する為の最良の形態】
【００１９】  現在、完成（市販）されている、ゼンマイ機動内蔵のコンベックス型状の器物製品の巻き出し帯先端部に、丸められたスダレを留め置く、ハンギング爪をビス留めで付け置く他、反対側のコンベックス取っ手部位にも、スダレエンド板にこれを引っ掻け、留め置く、ハンギング爪をビス留めし、本発明品を完成させるものであったが、ら線ゴム、型状記憶合金等をオモチャに爪と共に多く用い、
【００２０】このハンギング爪が、本品においての発明品となるものであり、不要時には、ビス留めを外しハンギング爪を除去できる型状の工夫と強靭な（形状記憶）合金等で作られると、本品は、スダレハッカーとなる他、丸められたカーテンを抱きしめるキャラクターになるものとなった。
【実施例】
【００２１】  筆者は１９××年頃から表沙汰されるまでに頻繁に日本国領海内に出没する不審船、及び、未確認飛行物体を調査する為、誰れに頼まれる訳でも無かったが、多くのカヤカーテンを車のトランクに入れて、海岸、他に行き、ボートに積み替え、これに乗り、大海に進み、海中に潜り、これら不審船、船内、他に乗船し、中に何があるのか見届けて帰って来た。○○○のスパイもいた。【００２２】  そこには、大量の麻薬や、日本国家に水揚げされたら大変に有害になるものであろうと、推意される軍事（兵器）物資が多く搭載され、分配される、大型○船から、小型漁船へと、小分けされるままに、密入国を許していた。何の目的でこの様な事をしているのか！について一般国民として調査する必要があった。筆者、テオリーくんはヌンチャク一本持ち、ブルースリーの様な格好をしていた。【００２３】  筆者は目的地に行き、このカヤ、カーテンを車のトランクの中から出し、たて、横、自在に使用し、乗用車、ボートのカモフラージューに用いると、パトカーを含み多くの人々がそこを通過しても気が付かず、スパイ、エージェントがいて、テン、狸、犬、カモメさへ、筆者が、そこに居る事に気が付かず、通り過ぎて行ってしまった。カヤ、カーテンとは、天狗がくれた隠れミノの様であった。
筆者は、カヤカーテンをボートに掛け、一日中、釣り、ボート人の様にしていたがそこにウットウシさは無かった。（詳細は省略）【００２４】  筆者の若き日に「何故こんな事をしていたのであろうか？」と考える事がしばしあったが、ボートに機関銃弾を打ち込まれたら一完の終わりでありながらも、せっせと、これに行って、調査を続け、公表の日を待っていた。大体の概要が分かって来ていた。【００２５】  その頃事の真相の一切を知らない国会が空転し国、代議士が憲法第九条をいじくりまわし、取り沙汰して、これを元に有事法案を議題に乗せ、国内と国民を動揺させていたのであり、国会では、事の真相の一切を知らなくとも、ただ大騒ぎをしていたものであったが、【００２６】  筆者はＮＨＫ国会中経放送中にこれに割り込んで、各大臣級が備う所で、順次、事の真相を解説した。（２００５−３１４７９６）その後、不審船の航来目的と、大型（客）船との関連性、及び、頻繁にこれが海難事故を起こす由以等の関係さへ容易に理解できた。【００２７】  世界のかかる議題の殆ど、カヤ、カーテンの中にあって、国民の視界のうちに疎くある時、筆者は今回発明するスダレハッカーを必要時に、これに用い、仕掛けた時、見る者の心に安心感を与えさせ、部外者に見せない方が良いと思われる時には、隠れミノのとなり、一般人から軍事関係者に至り、各室内、窓辺において、その内容の是非の見地位を自由自在に調整しストッパーがかけられる時、スダレカーテが人類の間に発明されてから今日に至る２０００数余年間の歴史の中で、それが持つ最大の能力をこれに引き出す事が出来る物となった。【００２８】  筆者がＮＨＫ国会中経でこれら事件の概要を説明すると、国内の有事法案議題は解消し、新出鬼没する北朝鮮による日本人拉致、誘拐事件に議題は替わっている時、筆者は年をとっており、家の縁側でカヤカーテンをたくし上げ、スダレハッカーで、これを留めスイカを割って喰っていた。そして海岸で拾って来た多くのゴミに爪をつけて綱やスダレの風勢、風流を楽しんでいた。
【産業上の利用の可能性】
【００２９】  戦前、日本では、生活必需物資の乏しさは、そのあらゆる優秀な技術力（品）は軍部に吸収され続ける事、一般庶民の日常の家庭の身の回わりまでにも到底及ぶものではなかった。ところが、その軍部も解消され、その必要もなくなった時、それらは新しい日本国家平和思想主義の元、家電品、自動車、製造業等を以って、内需拡大政策を得る、オートメーション技術を発展させ、大量生産効法に成功した時、それら製産品の全ては、「メード、イン、ジャパン」で呼称される信用を全世界に見せつけ、品質の良さ。壊われない。使い易さ。の三主義を大前提に、これらの制品はＸバリュー品（インフレ生産品）として、自ずと無限に近い高値を付ける品々に呼ばわれ、主にヨーロッパ、アメリカを主体とする先進国を相手にして、購売され続けるものとなり、日本国家国民自体一流大国にいつまでも、編入され続けたものであったが、欧米諸国、及び近年の中国に至って、日本に負けない安い人権コスト、資源を武器にオートメーションに乗り出し、
【００３０】  彼等の、その数十倍の威力を以って、日本国家が成功したオートメーション化にすぐ追いついて来ていた事を油断する日本国企業は未だに気が付かなかった。「欧米列強国に（経済）参戦しようと思うのならば、まずそのエントツの数を数えてからせよ！」とし、「中国に参戦しようと思わば、彼等の人海戦術を知り、中東に参戦を試みるのならば、そのトンネルの数を知って、これをせよ！」とする中、
【００３１】  筆者が海外を回遊していた頃、逆にその土地の有志、学生に「…テオリくんでは、ズバリこれに御質問したいのですが、我々が、日本に追いつき、これを追い越すべく、これに参戦し、これに打ち勝つ為には、日本国家の何を見たら良いのでしょうか？」
【００３２】筆者は笑いながら、筆者と、そう年令も変わらないその学生の純真な目を見て、「………。」と答えていた。学生は「分りました。」と答えた。彼等は、１０００年以上生き残り続け、子、子孫孫に伝承され続け、生活の基盤になり続ける資源が五万とありながら、それ以上の発案もなければ、進歩もしないで、やがて一千年の年月を越えようとしているそれらの上であぐらをかいていたのであった。
【００３３】  後に、日本国家では緊縮財政を提唱する総理大臣が国政を支持していた頃筆者は、その国内にあって、日本国内にあり余る優秀な技術力によって日々生産され続ける豊饒生産資源製品を筆者は、三つ以上合体させ、その思想を肯定し、ジョイントを発明し、
2007054593.tif 000009
この安泰を願った事は、日本国人の賢徳論としては、あまりにも有名であり、後の徳川家御三家主義思想に受け継がれて行った。
【００３４】  本発明においても市場におけるオートメーション大量生産で国内にあり余り、隣国からも大量輸入され、売り悩むモチーフ、オモチャ、他コンベックスにハッカー爪、ガラス吸い付き器を取り付けた時、具合の良い「スダレカーテン、ハッカーが出来、これらカーテン等の売り上げにも役立ち産業上の利用性は大きいものとなった。ものとなった。
【図面の簡単な説明】
【００３５】  最近、爆発的なバブル経済に湧く、隣国、中国からもすぐにゴミになり易い（オモチャ）資源が大量に国内に入って来る時、従来に既存し、その手先の器用さを誇る日本国内にある多くの（オモチャ）資源では、彼等が持つ低コスト、人権費をして、これに追いつくオートメーション化には到底太刀打ち出来ない所まで追いつめられつつある時、油断する日本企業では、これにまだ気が付いていない所であった。【００３６】  日本国内には、未だ、彼等に負けない、多くの、発案、発明家が居て、これら、あり余まって、ゴミ資源になり易い多くの今、図面に見られる多くの一用途、一使命しか持たない、モニュメント、モチーフをするこれら（オモチャ）資源に爪をつけ、そのバネ力を利用する時、スダレ、他カーテンをハンギングする使用を持つロボットオモチャに変貌する物に生まれ変わる事を図示した図であった。
【符号の説明】
１．コンベックス本体。２．ビス留めされたハッカー爪。３．コンベックスの中にあるゼンマイ。４．フィゴ型、スダレカーテンハッカー（引っ張ると音がして、動物の声に似る。５．イモリ型、スダレハッカー（シッポが、ら線ゴムで作られ、へ先にハッカー爪がある。）６．エヘヘ．ダコ（８本の大小のら線ゴムで作られた足があり、各足にはタバコケース、エンピツ入れ、ライター入れ、ケシゴム入れ等が付いている。）７．タバコケース、８．えんぴつ入れ。９．ライター  １０．風りん  １１．ケシゴム入れ。１２．ガラス吸い付き。１３．スダレ本体。１４．陶器やビーズで作られたムカデ。１５．オバケの面。１６．コンベックスの帯。１７．兜虫型、スダレ、ハッカー  １８．菊や花火型スダレハッカー（ビーズや３型形状ゴムの先にハッカー爪を付けて作ります。１９．ハンバーグ型スダレハッカー。２０  寿司形ハッカー  ２１．抱き付き型ウルトラマンハッカー（両腕、両足に形状記憶合金が入っており、束ねられたカーテンを纒めたり、スダレ、ハッカーにもなる。）２２．抱き付き型オバケハッカー（腕部と足部に形状記憶合金が入っており、束ねられたカーテンを纒めたり、スダレ、ハッカーにもなる。）２３．カーテン。２４．ヘビ型カーテンハッカー。２５．ススキ型、スダレハッカー。２６．朝顔型スダレ、ハッカー。２７．ブドウ型スダレハッカー。２８．ひまわり型すだれハッカー。２９．白羽矢型ハッカー。３０．ニガウリ型ハッカー。３１．空き缶型ハッカー。３２．魚型ハッカー。３３．車型ハッカー。３４．タバコケース型ハッカー。３５．移動自在カギ型ハッカー  ３６．形状記憶合金入り、朝顔（ツルの部分がカーテンを丸め、束ねる役割りをする。）３７．ナス型ハッカー  ３８．Ｗリング。３９．チェーン。４０．スダレハッカークロス。４１．小花。
【手続補正書】
【提出日】平成17年10月21日(2005.10.21)
【手続補正１】
【補正対象書類名】図面
【補正対象項目名】図１
【補正方法】変更
【補正の内容】
【図１】
2007054593.tif 000010
【手続補正書】
【提出日】平成17年12月5日(2005.12.5)
【手続補正１】
【補正対象書類名】明細書
【補正対象項目名】全文
【補正方法】変更
【補正の内容】
【発明の詳細な説明】
【技術分野】
【０００１】  「この花は造花の様に美しい！と誉める人はいない。」と、哲学論を言う者がかつてにいた。筆者はコドモの頃より画家になりたくて、千点を越え、油絵を書いた事があり、それは真実であった。筆者は花の絵を書き続けている内に、いつしか、筆者の書く花は包いを溢し始めていた。友人の画家に「どうだ！この花は匂いを溢しているだろう！？」と言った所。「包わない。」と答えた。「あんたの鼻は変である。」と言って絵を描くのを止めた。それから久しい時間が流れた。ある日の事であった。【０００２】  筆者が女の子をナンパして、買い物に出かけ、造花コーナーの前を通り過ぎた際の事であった。一瞬、包いを溢している造花がそこにあった。「見事である。」と一声漏らして、後黙っていた。認める物は素直に認めたが、くやしかった。日本人の手先の器用さを結集する技術力の一端をかいま見る瞬間の出来事であった。筆者の意志は再び画家の世界へ凝集していた。【０００３】  それではという事で筆者は、手頃な木を河川、海辺から拾って来て彫刻刀でこれを彫り、まず、鼠を彫り続け、トカゲを彫り、ヘビ、カエルに至り、やがて粘土をこねて、人体像を造るに至って、又、画家の生活に戻っている時期があった。雪舟が涙で描きあげたとする人に懐く鼠像や絵心の分かる者を尋ねて動き出すという、動物や人物をキャンバスに残してみようと考えたからであった。【０００４】芸術家とは無欲であり、必ずしも心が清くなければ、本意たる芸術の粋意はこれに言い表わされるものではなかった。先駆的には、ドイツ、ゲルマン民族をする彼の国において子を得ないやさしいおじいさんがあやつり人形のピノキオを作り、これが、やがて人間のコドモに成長してゆく過程が物語りとして普及しており、ピノキオが人間のコドモになるか？デクノボウになるかは、それを見るコドモ達の真心と、世の中にある人々の目にあった。【０００５】  しかしながら、愛らしかった白人の子がアヒルの子で表現された時、黒人の子は鼠の子として表現され、「ミッキーマウス」と呼称され、全界の子供に愛され続けた頃、これに負けない腹部にポッケットを持ち、心理学効果を得る鉄腕アトムが極東の日本で化学の粋意を結集して創作されていた。【０００６】  筆者は自称する哲学者であり、経済学者であり、物理学者‥‥‥，そして、画家でもあった。と、肩書きを並べてはダビンチの様な事を言って，世の人々に嫌われていたが，その心はコドモの様に純粋であり、世の為、人の為に役立つロボットを作っていた。発案は今回発明されるスダレ、カーテン、ハンギングロボットを現存される、国内にあるヘビのシッポをガラガラヘビの様にゴム製の丸めた物で作ったり、タコの足をも同様にして作り、スダレ、カーテン、ハッカーとして用いた所、来客人が驚き、ハエ叩きで、これを叩いた。本発明品の技術面の成功を見ていた。叩かれたのは蛇であった。【０００７】  日本人の玩具製造技術の優秀さが立証された瞬間であった。玩具も優れた物になると、真夜中にオモチャ箱を抜けだしてこれを愛する世のコドモ達の心の奥底に深く喰い込んでゆく技術力があり、頑具を愛する者に出来た芸術力に匹敵するものでもあった。【０００８】  但し、エヘヘダコに付いては筆者の机の上の物を盗んで���スダレ、カーテンに逃けたタコを筆者が見つけて、ハエ叩きでこれを叩こうとしている時、タコはエヘヘと笑って、ゴマかし、「返すから許して！」と言って見える技術力があり、返品された品々はスダレハカーテンに取り付いている便利さもあった。又、スシや自転車、破摩の矢、ススキ、等のバラエティーを考えると四季を通してカーテンで楽しむ技術力があった。【０００９】  色彩感のある陶器、ガラス、プラスチック等、他ビーズを糸で連ねて、花火、磯巾着、菊の花びらを作り、その必要なるへ先にハンギング爪をつけて、スダレに取り付けた時、それらは美くしく、もはや、玩具の領域を越え芸術の域に達っする日本人の技術力をも全世界に示す所にあった。アユや、車、ムカデ、ヘビ‥‥等の玩具についても同じ事が言えた。キャラクター人形はカーテンにへばりついて、之を束ねていた。【０００１０】  本発明品のうち、鳴き虫ハッカー（Ｔ、３８４号）では、胴体、若しくはシッポを無理にひっぱると、本発明品は鳴き出す技術力があった。
【背景技術】
【００１０】  ●特願、２００４−３１４７９６：盗聴コンウイルス防止器参照されたし  ●特願、２００４−１１８９２９２：陣羽織参照されたし  ●特願、２００４−２１７９９２：揚子付マッチ参照されたし  ●特願、２００５−１４６０２６：示現流参照されたし  ●特願、２００７−  幽霊撮りカメラ参照されたし  ●２００４−４５４４８：自動車カーテンブラインド参照されたし
【発明の開示】
【発明が解決しようとする課題】
【００１１】  木影の下には１℃の温度差があり、憩が存在する。」と言われ人々は４千年の歴史の中で、カヤを織り、ナイル河の畔の風にたなびかせ、オリエントの砂漠の日光を遮るすだれとなり、１℃の温度差を生じさせる時、そこに涼風を発生させ、窓辺に置いた際、これは多くの風をここに発生させ、これを室内に取り込み、多くの人々の心に憩いと涼しささへ与え続けて来た効力がある時、フト気が付くと、そこに人影が生じたり、消えたりする不思議な空間を作っていた。（２００７年  号、幽霊撮りカメラ参照）【００１２】  人類が日除けブラインドを発明してから数千年間を経だてる今日に至ってもこれらは廃
2007054593.tif 000011
し、人々の手で生産され続け、古くなると薪木となって、やはり人々の生活を助けていた。【００１３】  人々は何故にこれ程までにカヤカーテンを愛し続けたものであろうか？‥‥‥夏期暑中においても、外部と人の居住空間の間に光りの明暗の関係が生じ、光（光粒子：＋）は、闇（闇部：−）を見つけると、そこに向かって突き進む性質（２００５−１１８９２９２：陣羽織参照されたし）がある事が発見され、その光粒子の高低差により、光粒子（大陽風）線は、気圧（風）高低差を起こし、マントル対流を発生させ、（光は同量の熱量に変わる）この世に生息するあらゆる生物の新陳代謝に貢献するものとなった。（２００５−  ，発光ペンダント参照されたし）【００１５】原因は、日照高低の偏差、窓辺に乗らしたスダレカーテンの周辺のみに、その高低差が生じる為、下手な例えを使えば、そこにシンキロウ（幽霊）が生じてもオカシクない程までに涼風が入って来るのを妨げる際、スダレカーテンは、その存在を一時期を以って邪馬にさへなる事において、そこに、本発明の課題が与えられた。【００１６】  この様な時、スダレ、カーテンをクルクルと巻き上げた際の事であったが、これを簡易に留め置くストッパーの発明は、その発明史の数々を見ても、数千年を経てる中、なかなか起らなかった。之を簡易に認意の位置で、ストップ調整させ、スダレをウットウしくさせず、もっと自在かつ、安価格に現在、市場にある製品を用いて、之を為せない物であろうか？と考えた時、本発明品が解決手段を得た。
【発明の効果】
【００１７】  筆者は土木建築に非常に興味があった。学修終了後、筆者は暫く日本の土木建築業に居た。現場におい、土木建築技師が持っている道具に目が付いて離れなかった。しかしながら、彼等が持っているその日本における１０年間において、それらは、あまりにも変わっているのに驚きを隠せないでいたからであった。ゼンマイ、ら線ゴム、形状記憶合金をよく用いていた。【００１８】  筆者はコドモの頃より発明好きだった為、人の持つ物、為す物にイチイチ興味を引く中、特に昔しは多くあった巻き尺、折り尺が今は無くなっており、今では、コンベックス（ゼンマイ内蔵の半自動巻き尺を人々が当り前の様に手に持って、之を操作し、昔し在って、今は無くなった鶴、亀型の墨壺も、この様になっているのを見た時、このゼンマイ仕掛けの半自動コンベックスのクロー（爪）の部位に、丸められたスダレをハンギング、ハッカー（引っけ吊す事のできる改良された爪）をスライド式にこれに差し込んでビス留めした時、この爪がゼンマイの駆動力と備わるストッパの力を得て、丸められたスダレを自在認意の位置で留め置くスダレ、ハッカーとなる便利な物になる事を知った。【００１９】  現在、完成（市販）されているゼンマイ機動内蔵のコンベックス型状の器物製品の巻き出し帯、先端部に丸められたスダレを留め置く、ハンギング爪をビス留めで付け置く他、反対側のコンベックス取っ手部位にも、スダレエンド板にこれを引っかけ留め置く、ハンギング爪をビス留めし、本発明品を完成させるものであったが、ら線状記憶合金等をオモチャに爪と共に多く用いると、【００２０】  このハンギング爪が、本品においての発明品となる物であり、不要時には、ビス留めを外し、ハンギング爪を除去できる型状の工夫と強靭な（形状記憶合金で作られると、本品はスダレハッカーとなる他、丸められたカーテンを抱きしめるキャラクターになるものにもなった。
【実施例】
【００２１】  筆者は１９××年頃から表沙汰されるまでに頻繁に日本国内に出没する不審船、及び、未確認飛行物体を調査する為、誰れに頼まれる訳ではなかったが、多くのカヤカーテンを車のトランクの中に入れて、海岸他に行き、ボートに積み替え、これに乗り、大海に進み、海中に潜り、これら、不審船内、他に乗船し、中に何が入っているのか見届けて帰って来た。○○○のスパイもいた。【００２２】  そこには、大量の麻薬や日本国内に水揚げされたら大変に有害になるものであろうと、推意される軍事（兵器）物資が多く搭載され、分配される大型○船から、小型魚船へと小分けされるままに、密入国を許していた。何の目的でこの様な事をしているのか！について一般国民として調査する必要があった。
筆者、テオリーくんはヌンチャク一本を持ち、ブルース、リーの様な格好をしていた。【００２３】  筆者は目的地に行き、このカヤ、カーテンを車のトランクの中から出し、縦、横、自在に使用し、乗用車、ボートのカモフラージュに用いると、パトカーを含み、多くの人々がそこを通り過ぎても気が付かず、スパイ、エージェントがいて、テン、狸、犬、カモメさへ、筆者がそこに居る事に気が付かず通り過ぎて行てしまった。カヤ、カーテンとは、天狗がくれた隠れ箕の様であった。筆者は、カヤ、カーテンをボートに掛け、一日中、釣り人の様にしていたが、そこにウットウしさは無かった。（詳細は省略）【００２４】  筆者の若き日に「何故に、この様な事をしていたのであろうか？」と考える事がしばしあったが、ボートに機関銃弾を打ち込まれたら一完の終わりでありながらも、せっせと、これに行って調査を続け、公表の日を待っていた。大体の概要が分かって来ていた。【００２５】  筆者は、ＮＨＫ国会中経放送中に、これに割り込んで、各大臣級が備う所で順次事の真相を解設した。（２００５−３１４７９６）その後、不審船の航来目的と、大型（客）船との関連性、及び頻繁に之等が、海難事故を起こす由以等の関係さへ容易に理解できた。【００２６】  その頃、事の真相の一切を知らない国会が空転し、代議士等が憲法第九条をいじくりまわし、取り沙汰して、これを元に有事法案を議題とし、国内と国民を動揺させ、何も知らなくとも、只、大騒ぎしていたからであった。【００２７】  この時、これら事件の概要を説明すると、いつしか、有事法案は解消し、新出鬼没する北朝鮮による日本人拉致、誘拐事件に議題は替わっていた。筆者は、もう年をとっており、家のカヤカーテンをたくし上げ、本発明されるスダレ、ハッカーで、これを留め、スイカを割って喰っていた。
【産業上利用の可能性】
【００２８】  昭和年間、戦前では、生活必需品の乏しさは、そのあらゆる優秀な技術品（力）は軍部に吸収され続ける事、一搬庶民の日常の家庭品、身のまわりにまでにも到底、及ぶものではなかった。ところが、その軍部解消され、その必要も無くなった時、それらは新しい日本国家平和思想主義の元、家庭電化品、自動車、製造業等を以って、内需拡大政策を得る、オートメーション技術に成功した時、それら製産品の全ては「メード．イン．ジャパン」で呼称される信用を全世界に見つけ、品質の良さ。壊れない。使い易さ。の三主義を大前提に、これらの制品はＸバリュー品（インフレ生産品）として自ずと無限に近い高値を付ける品々に呼ばれ、主に、ヨーロッパ、アメリカ、を主体とする先進国を相手に購売され続けるものとなり、日本国家、国民自体、一流大国にいつまでも、編入され続けたものであったが、欧米諸国、及び近年の中国に至って、日本に負けない、安い人権コスト、資源を武器にオートメーションに乗り出し、
【００２９】  彼等の持つ、その数十倍の威力を以って、日本国家が成功した、オートメーション化にすぐ追いついて来た事を油断する日本国企業は未だに気が付かなかった。「欧米列強国に（経済）参戦を試るならば、まず、そのエントツの数を数えてから、これをせよ！」とし、「中国に参戦しようと思わば、彼等の人海戦術を知って取り、中東に参戦をしょうと思わば、その彼等が持つトンネルの数を知って、これをせよ！」とする中、
【００３０】  筆者が、海外を回遊していた頃、逆に、その土地の有志、学生に、「テオリーくん、では、ズバリ、これに御質問したいのですが、我々が、日本に追い付き、これを追い越すべく、これに参戦し、之に打ち勝つ為には、日本国家の何を見て来たら良いのでしょうか？」
【００３１】  筆者は笑いながら、筆者とそう年令の変わらない、その学生の純真な目を見て、「日本国家に参戦しょうと思わば、彼等の持っている株券（価）の数の之を知ってせよ！（やがて発生する倒産企業、Ａ．Ｐ．０３％数）そして、彼等が、その財政を緊縮した時、追い付き、彼等が外資を導入した時、追い越し、彼等が、国営資本を崩した時、全力で当たれば、打ち勝てます。（２００−  ナマハゲくん参照されたし）
【００３２】  「しかしながら、日本にはテオリーくんがいます。我々が日本にその様に攻撃を仕掛けたら、テオリーくんは、どの様にこれを防ぎますか？」筆者は否まず、緊縮財政の折り、壊れない。使い易い。低価格製品にあって、世界中のマーケットに君臨し続けた優秀な日本製品に対して、ジョインをかけ、壊れない上に更に壊れず、使い易さの上に更なる便利。低価格の上に更なる低価格発明品を考案し、これを本国の特許庁をパートナーにし、多
2007054593.tif 000012
資本に替え、国営資本（当時は国積の赤字を指す。）崩壊時に備えます。それで、あなたの国の実力、実効力に防戦できるか、どうか、ギリギリの勝負となります。筆者もその学生も、現在大人になっていた。（２００５−  ポリジャコ参照されたし：２００５−１４６０２６、示現流参照されたし：２００５−３００９１３、クール．バリアー参照されたし）学生は、
【００３３】  「分かりました。」と答えていた。――彼等は、千年以上も昔から存在し、子々、孫々に伝承され続け、生活の基盤になり続ける資源が、足元に五万とありながら、それに対する発案を起こさなければ、進歩を得ず、その上にあぐらをかいていた。
【００３４】  後に、日本国家では、緊宿財政を提唱する、総理大臣が国政に出現した頃、筆者は、その国内にあって、日本国内にあり余る優秀な技術力によって日々生産され続ける豊饒生産資源製品を、筆者は三つ以上合体させ、その思想を肯定し、ジョイント製作を発案する、かつての毛利元成が、自慢とする、三人の息子を前にし、三矢、合力の意議を解き、これを悟し、自国、国政を三兄弟の合議に評し、この安泰を願った賢徳論は、あまりにも有名であり、後の徳川御三家主義、合議思想に受け継がれて行くものであったが、本、発明品においても、隣国から、大量にＹバリュー製品の流入があり、国政において、現在、内需拡大野放し政策にあって、産廃ゴミに溢れる、モチーフ、玩具、コンベックス等に、ハッカー爪、ガラス吸い付き器を取り付けた時、具合の良い「スダレハッカーが出来た際、カーテン等の売り上げにも役立ち、産業上の利用性は極めて大きい物となると推意された。
【図面の簡単な説明】
【００３５】  最近、爆発的なバブル経済に湧く、隣国、中国からも、すぐに、ゴミになり易い（オモチャ）資源が大量に入って来る時、従来に既存し、その手先の器用さを誇る日本国内にある多くの（オモチャ）資源では、彼等が持つ低コスト、人件費をして、これに追いつくオートメーション化に、到底太刀打ち出来ない所にまで追いつめられられつつある時、油断する日本企業では、これに、まだ気が付いていない所であったが、国内には、未だ、彼等に負けない、多くの発案、発明家が居て、これら、あり余って、ゴミ資源になり易い、多くの、今図面に見られる多くの一用途、一使命しか持たない、これら玩具資源に爪をつけ、そのバネ力を利用する時、スダレ、他、カーテンをハンギングする使命を持つ、ロボット、オモチャに変貌させる事の出来る事を示した玩具類図であった。
【符号の説明】
１、コンベックス本体。２、ハッカー爪。３、コンベックスの中にあるゼンマイ。４、フィゴ型、スダレカーテン、ハッーカー。５、イモリ型、スダレ、ハッカー（シッポが、ら線ゴムで作られ、へ先にハッカー爪がある。）６、エヘヘダコ（８本の大小のら線ゴムで作られた足があり、各足には、タバコケース。エンピツ入れ、ライター入れ、消しゴム入れ等が付いている。７、タバコケース。８、円筆入れ。９、ライター。１０、風鈴。１１、消しゴム入れ。１２、ガラス吸い付き。１３、スダレ本体。１４、陶器やビーズで作られた百足。１５、オバケ面。１６、コンベックスの帯。１７、兜虫型、スダレ、ハッカー。１８、菊や花火型、スダレハッカー。（ビーズや弓形状ゴムの先にハッカー爪を付けて作ります）１９、ハンバーグ形スダレハッカー。２０、寿司型ハッカー。２１、抱き付き人形型。ハッカー（両腕、両足に形状記憶合金が入っており、カーテン束ね他、スダレハッカーにもなる。）２４、蛇形カーテンハッカー。２５、ススキ形スダレハッカー。（ハタキにもなる。）２６、朝顔形スダレハッカー。２７、ブドウ形スダレハッカー。２８、ひまわり形スダレハッカー。２９、白羽矢形ハッカー。３０、ナマコ形ハッカー。３１、空き缶形ハッカー。３２、魚形ハッカー。３３、車形ハッカー。３４、タバコケース形ハッカー。３５、自在鈎。３６、形状記憶合金入り朝顔（蔓の部分がカーテンを束ね、スダレ、ハッカーにもなる。）３７、ナス形ハッカー。３８、Ｗリング。３９、チェーン。４０、小花。
【手続補正２】
【補正対象書類名】特許請求の範囲
【補正対象項目名】全文
【補正方法】変更
【補正の内容】
【特許請求の範囲】
【請求項１】
コンベックス機能を持つ、ゼンマイ内蔵半自動巻き取り式器、内蔵帯の先端部位に、丸め、たくし上げられたスダレを留め置く、ハンギング爪を、これに取り付ける発明工夫をし、スダレハッカー（Ｔ、３８０号）をして、任意の位置に取り付け、外し、自在の鈎爪をこれに取り付けた発明品を創作する請求。
【請求項２】
ゴム、プラスチック、ビーズ、陶器、チェーン、他、申縮自在のバネ、弓型形状記憶合金を動物、植物、その他をして、運動機能器（手足等）に用い、人形、玩具に仕上げる、スグレ、カーテンを留め置く、ハッカー機器を創作し、これをして、これらの素材品の持つ運動力や爪の力を使用して作る、花火、花、動物、昆虫、魚、オバケ、野菜、パン、スシ、タバコケース、矢形、キラクター性のある人形等に至って、これらの物で、スダレ、カーテン、ハッカーを創作される事への請求。